(57)【要約】【課題】バーナの点火処理中の火力表示を待機することができるガスコンロを提供する。【解決手段】点火時、操作つまみに対する押込操作によって、基板スイッチがオン状態になる。制御回路のＣＰＵは、消灯時間の計時を開始する（Ｓ１）。ＬＥＤ光の一部を遮り火力に応じたＬＥＤ光を通過させることで火力表示を行う火力表示部材は、操作つまみに連動する火力調節カムと機械的に連動して動作する。押込操作において操作つまみが回動したり、中火ガイドによって火力調節カムが回転したりすると、点火動作中に火力表示部材が動作する可能性がある。消灯時間は押込操作にかかる時間より長く、ＣＰＵは消灯時間が経過するまでＬＥＤを点灯しない。点火動作中はＬＥＤが点灯せず火力表示が行われないので、火力表示部材が動作しても、火力の表示状態に変化は生じない。【選択図】図８
2019039594.tif 000002
【特許請求の範囲】
【請求項１】
筐体の上部に配置されるバーナに対するガスの供給と遮断を行う供給機構と、
前記バーナにガスを供給する場合のガスの供給量を調節する調節機構と、
前記バーナに供給されたガスに点火する点火機構と、
前記バーナに対応して設けられる操作部に対する操作に応じ、前記供給機構と連動して前記バーナにガスを供給しつつ、前記点火機構と連動してガスに点火する点火動作と、前記調節機構と連動して前記バーナへのガスの供給量を調節する調節動作と、前記供給機構と連動して前記バーナに供給するガスを遮断する消火動作とを行う操作機構と、
前記操作機構による前記点火動作の過程でオン・オフの状態が一方の状態から他方の状態に変化する検出スイッチと、
前記検出スイッチが前記一方の状態から前記他方の状態に変化したことを契機に発光部を消灯状態から発光状態に移行する制御部と、
前記筐体の前部に固定され、前記発光部の発光の態様により、前記バーナへの点火の有無を示す点火状態、及び前記バーナへのガスの供給量を示す火力状態を表示する表示装置と、
を備えたガスコンロであって、
前記表示装置は、前記調節機構と機械的に連動し、前記発光部の発光の態様を変化させる態様変化部を備えており、
前記制御部は、前記検出スイッチが前記一方の状態から前記他方の状態に変化してから所定時間、前記発光部を消灯状態に維持した後、前記発光部を発光状態に移行すること
を特徴とするガスコンロ。
【請求項２】
前記操作機構による前記点火動作の過程において、前記調節機構との機械的な連動により、前記バーナに供給されるガスの供給量を、前記バーナの点火に必要な量である点火量に調整する調整部材を備えたことを特徴とする請求項１に記載のガスコンロ。
【発明の詳細な説明】
【技術分野】
【０００１】
本発明はガスコンロに関する。
【背景技術】
【０００２】
ガスコンロは、バーナにガスを供給する燃料供給装置を備える。例えば特許文献１に記載の燃焼量調整体（操作つまみ）は、回動操作可能なプッシュ・プッシュ機構を有しており、押込操作が成される度に、コンロ本体の前面から突出あるいは収容される。操作つまみの収容時に押込操作がなされると、コントローラによってバーナへの点火処理が実行される。コントローラは、操作つまみの回動操作量をポジションセンサによって検出し、検出量に応じてモータを駆動してバーナに供給するガス量を調整する。また、バーナへの点火処理後、コントローラは、ポジションセンサの検出量に応じてＬＥＤの発光制御を行い、火力表示を行う。
【先行技術文献】
【特許文献】
【０００３】
【特許文献１】特開２０１５−３６５９３号公報
【発明の概要】
【発明が解決しようとする課題】
【０００４】
低コスト化を図るため、ポジションセンサ等の装置、部品を省き、バーナの点火処理とガス供給量の調整をカム等の機械的な構成で行うことを検討した場合、操作つまみの回動操作量が分からなくなる。そこで発明者らは、ＬＥＤ光を、操作つまみの回動操作に連動する遮蔽部材で遮蔽することにより、火力表示を行うことを検討した。一方、点火時の燃焼状態の安定化を図るためには、押込操作に連動してガス供給量が所定量になるように、ガス供給量を機械的に調整する機能を組み込むことが望まれる。しかしながら、押込操作に連動してガス供給量を機械的に調整すると、操作つまみが連動して回動し、それに伴い遮蔽部材も動作してしまうため、点火時におけるバーナの燃焼状態と火力の表示状態が一致せず、ユーザが戸惑いを生ずる可能性があった。
【０００５】
本発明の目的は、バーナの点火処理中の火力表示を待機することができるガスコンロを提供することである。
【課題を解決するための手段】
【０００６】
本発明の請求項１に係る発明のガスコンロは、筐体の上部に配置されるバーナに対するガスの供給と遮断を行う供給機構と、前記バーナにガスを供給する場合のガスの供給量を調節する調節機構と、前記バーナに供給されたガスに点火する点火機構と、前記バーナに対応して設けられる操作部に対する操作に応じ、前記供給機構と連動して前記バーナにガスを供給しつつ、前記点火機構と連動してガスに点火する点火動作と、前記調節機構と連動して前記バーナへのガスの供給量を調節する調節動作と、前記供給機構と連動して前記バーナに供給するガスを遮断する消火動作とを行う操作機構と、前記操作機構による前記点火動作の過程でオン・オフの状態が一方の状態から他方の状態に変化する検出スイッチと、前記検出スイッチが前記一方の状態から前記他方の状態に変化したことを契機に発光部を消灯状態から発光状態に移行する制御部と、前記筐体の前部に固定され、前記発光部の発光の態様により、前記バーナへの点火の有無を示す点火状態、及び前記バーナへのガスの供給量を示す火力状態を表示する表示装置と、を備えたガスコンロであって、前記表示装置は、前記調節機構と機械的に連動し、前記発光部の発光の態様を変化させる態様変化部を備えており、前記制御部は、前記検出スイッチが前記一方の状態から前記他方の状態に変化してから所定時間、前記発光部を消灯状態に維持した後、前記発光部を発光状態に移行することを特徴とする。
【０００７】
請求項２に係る発明のガスコンロは、請求項１に記載の発明の構成に加え、前記操作機構による前記点火動作の過程において、前記調節機構との機械的な連動により、前記バーナに供給されるガスの供給量を、前記バーナの点火に必要な量である点火量に調整する調整部材を備えたことを特徴とする。
【発明の効果】
【０００８】
請求項１に係る発明のガスコンロによれば、バーナの点火時、操作機構による点火動作に連動し、供給機構がバーナにガスを供給し、点火機構がガスに点火する。調節機構は、供給機構、点火機構とともに操作機構の操作部に対する操作に連動して作動するので、点火動作における操作部に対する操作によって、調節機構が動作する可能性がある。表示装置は、調節機構と機械的に連動する態様変化部によって、バーナの点火状態と火力状態を表示する。調節機構が動作することによって態様変化部も動作するため、態様変化部は、バーナの点火状態と火力状態の表示に変化をもたらす。ところで、ユーザが点火動作のため操作部において点火に係る部分を操作したときに、誤操作等により操作部において火力の調節に係る部分に触れ、意図せずに調節動作が行われてしまった場合、表示装置の表示状態が変化するため、ユーザが戸惑う可能性がある。そこで制御部は、検出スイッチによる状態変化から所定時間、発光部を消灯状態に維持する。発光部が消灯状態であれば、表示装置によるバーナの点火状態と火力状態の表示は行われない。所定時間は、検出スイッチによる状態変化からバーナの点火処理が完了するまでに要する時間であることが望ましい。その間に態様変化部が動作しても、表示装置には点火状態と火力状態の表示がなされないので、ユーザが戸惑うことはない。
【０００９】
請求項２に係る発明のガスコンロによれば、請求項１に記載の発明の効果に加え、操作機構による点火動作においてバーナが点火されるとき、調整部材は、調節機構と機械的に連動し、ガスの供給量を点火量に調整する。故に、調節機構と機械的に連動する態様変化部は、点火動作の途中で、バーナの点火状態と火力状態の表示に変化をもたらす可能性がある。制御部は、検出スイッチによる状態変化から所定時間、発光部を消灯状態に維持する。これにより、検出スイッチによる状態変化から所定時間、表示装置によるバーナの点火状態と火力状態の表示は行われない。その間に態様変化部が動作しても、表示装置には点火状態と火力状態の表示がなされないので、ユーザが戸惑うことはない。
【図面の簡単な説明】
【００１０】
【図１】ガスコンロ１の斜視図である。
【図２】燃料供給装置２０の斜視図である。
【図３】燃料供給装置２０の断面図である。
【図４】パネル装置９Ｂの分解斜視図である。
【図５】プッシュ・プッシュ機構２４の動作を説明するための図である。
【図６】ガスコンロ１の電気的構成を示すブロック図である。
【図７】燃料供給装置２０による点火と消火及び火力の調節について説明するためのタイミングチャートである。
【図８】火力表示処理のフローチャートである。
【発明を実施するための形態】
【００１１】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１２】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。右バーナ４、左バーナ５、奥バーナ６の夫々の側面には多数の炎孔が設けられる。右バーナ４の炎孔の近傍には、イグナイタ４Ａの点火電極と熱電対４Ｂ（図６参照）が炎孔に臨むようにして設置される。左バーナ５の炎孔の近傍には、イグナイタ５Ａの点火電極と熱電対５Ｂ（図６参照）が炎孔に臨むようにして設置される。奥バーナ６の炎孔の近傍には、イグナイタ６Ａの点火電極と熱電対６Ｂ（図６参照）が炎孔に臨むようにして設置される。イグナイタ４Ａ、５Ａ、６Ａは、駆動することにより点火電極においてスパーク放電を発生し、炎孔から噴出されるガスに点火する。熱電対４Ｂ、５Ｂ、６Ｂは、炎孔に形成される火炎により加熱されて熱起電力を発生する。故にガスコンロ１は、熱電対４Ｂ、５Ｂ、６Ｂに発生する熱起電力に基づき、右バーナ４、左バーナ５、奥バーナ６における失火を検出できる。
【００１３】
天板３の後方部には、筐体２内に設置されたグリル装置（図示略）の排気口７が設けられる。ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００１４】
図２〜図４を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁１１９（図６参照）によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００１５】
図２、図３に示すように、燃料供給装置２０は、操作つまみ１４の押込操作と回動操作により、左バーナ５の点火と消火、及び左バーナ５に供給するガス量の調節を行う装置である。押込操作は、操作つまみ１４の前面を後方へ押圧し、ガスコンロ１の筐体２の前面Ｆ（パネル装置９Ｂの前面）よりも奥側に押し込む操作である。回動操作は、操作つまみ１４の側面を把持し、前後方向の軸（軸心ＡＸ）を中心に回転する操作である。燃料供給装置２０は、操作つまみ１４、プッシュ・プッシュ機構２４、ガス流路部２２、火力調節カム２６、流量調節部３１、連結部材２５、中火ガイド９０等を備える。
【００１６】
操作つまみ１４は略円柱状に形成される。操作つまみ１４は、ガスコンロ１の後方へ向けて押し込む押込操作が行われる度に、待機位置から第一押込位置を経て操作位置に移動する動作と、操作位置から第二押込位置を経て待機位置に移動する動作とを交互に行う。図４（Ａ）に示すように、待機位置は、操作つまみ１４の先端面が、筐体２の前面Ｆとほぼ面一となる位置である。待機位置において、操作つまみ１４の先端面は、筐体２の前面Ｆよりも僅かに後側に位置してもよいし、僅かに前側に位置してもよい。なお、図２、図３に示す燃料供給装置２０は、操作つまみ１４が待機位置に位置する。
【００１７】
図４（Ｂ）に示すように、第一押込位置は、操作つまみ１４の先端面が、筐体２の前面Ｆよりも後方に押し込まれた位置である。操作つまみ１４は、第一押込位置において待機位置よりも後方に位置する。図４（Ｃ）に示すように、操作位置は、操作つまみ１４の先端面が、筐体２の前面Ｆに対して突出する位置である。操作つまみ１４は、操作位置において待機位置よりも前方に位置する。操作位置にあるとき、操作つまみ１４は、前後方向に沿う軸心ＡＸを中心に回転可能（回動操作可能）である。図４（Ｄ）に示すように、第二押込位置は、操作つまみ１４の先端面が、筐体２の前面Ｆよりも後方に押し込まれた位置である。操作つまみ１４は、第二押込位置において、待機位置よりも後方且つ第一押込位置よりも前方に位置する。
【００１８】
図３に示すように、プッシュ・プッシュ機構２４は、操作つまみ１４を待機位置、第一押込位置、操作位置、第二押込位置の各位置において位置決めし、各位置に応じて後述するメイン弁３９を開放状態又は閉鎖状態に維持する。プッシュ・プッシュ機構２４の内部には、操作つまみ１４の押込操作に合わせて前後方向に移動する前スライダ４０、後スライダ４１と、前スライダ４０及び後スライダ４１を夫々前方へ向けて付勢するバネ４２及びバネ４３が設けられる。前スライダ４０と後スライダ４１には、夫々、カム機構４４、４５が設けられる。なお、カム機構４４、４５は何れも周知のものであるので、動作の詳細な説明は省略する。
【００１９】
前スライダ４０は、操作つまみ１４が押込操作される度に、カム機構４４によって、操作つまみ１４を待機位置から第一押込位置を経て操作位置に移動する動作と、操作位置から第二押込位置を経て待機位置に移動する動作とを繰り返す。後スライダ４１は前スライダ４０と連動し、操作つまみ１４が待機位置から第一押込位置に移動するときにメイン弁３９と安全弁４８を後方に押圧することで開放し、且つカム機構４５によって、メイン弁３９を開放状態に維持する。また、後スライダ４１は、操作つまみ１４が操作位置から第二押込位置を経て待機位置に移動するときに、メイン弁３９の押圧状態を解除する。
【００２０】
プッシュ・プッシュ機構２４は、右側面にイグナイタスイッチ１５（図２参照）を備え、左側面に基板スイッチ１６（図４参照）を備える。イグナイタスイッチ１５と基板スイッチ１６はレバースイッチであり、後スライダ４１から右側方と左側方に夫々突出する駆動片４１Ａ（図２参照）と駆動片４１Ｂ（図４参照）により、オン又はオフの状態に操作される。
【００２１】
ガス流路部２２は、プッシュ・プッシュ機構２４の後側に連結される。ガス流路部２２の内部には第一ガス通路４６が形成される。第一ガス通路４６は、下部に開口する導入口２３に接続するガス供給管（図示略）から供給されるガスを、流量調節部３１に流通する。第一ガス通路４６にはメイン弁３９と安全弁４８が設けられる。メイン弁３９は、バネ４７によって第一ガス通路４６を閉じる閉状態に弾性付勢される。上記したように、メイン弁３９は、操作つまみ１４の押込操作に応じて移動する前スライダ４０に連動する後スライダ４１によって押圧されると、第一ガス通路４６を開放する。また、メイン弁３９は、後スライダ４１による押圧が解除されると、バネ４７により、第一ガス通路４６を閉鎖する。安全弁４８は、バネ４９によって第一ガス通路４６を閉じる閉状態に弾性付勢された電磁操作式の弁である。安全弁４８は、操作つまみ１４の押込操作に応じて移動する前スライダ４０に連動する後スライダ４１によってメイン弁３９とともに押圧されると、第一ガス通路４６を開放する。安全弁４８は電磁操作式の弁であり、後スライダ４１によって開放されたときに、ガスコンロ１の制御回路１００に搭載されるＣＰＵ１０１（図６参照）によって開放状態に維持される。なお、ＣＰＵ１０１は、メイン弁３９の閉鎖によって左バーナ５が消火すると、安全弁４８の開放状態を解除する。この場合、安全弁４８は、バネ４９によって第一ガス通路４６を閉鎖する。
【００２２】
図２、図３に示すように、流量調節部３１はプッシュ・プッシュ機構２４とガス流路部２２の上部に設けられる。流量調節部３１の内部には第二ガス通路１９（図３参照）が形成される。第二ガス通路１９は、ガス流路部２２から供給されるガスを流通し、上部に開口する流出口３２に接続されるガス供給管（図示略）を介して左バーナ５に供給する。流量調節部３１の前端部には第二ガス通路１９に連通する穴部３０が形成され、ニードル弁２８が挿入される。ニードル弁２８は、前端部側が穴部３０から外部に露出され、後端部側が第二ガス通路１９内において前後方向に移動可能に配置される。ニードル弁２８の前端部には、上下方向に延びるピン２９が設けられる。
【００２３】
火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００２４】
火力調節カム２６は前方に延びる延伸部３４を備え、延伸部３４の前端部分に内向きに突出する歯部３５を有する。歯部３５は操作つまみ１４が操作位置（図４（Ｃ）参照）にあるときに連結部材２５の歯部３８（後述）に噛合し、連結部材２５を介して火力調節カム２６を操作つまみ１４と共に軸心ＡＸを中心に回転する。延伸部３４は、途中で狭窄するテーパ部３４Ａを備える。操作つまみ１４に対する押込操作がなされるときに、テーパ部３４Ａは中火ガイド９０に係合し、中火ガイド９０を回転する。
【００２５】
火力調節カム２６の延伸部３４の外周面には、略半円筒状のＬＥＤ操作部材３６が固定される。ＬＥＤ操作部材３６は火力表示部材７０に連結する。火力表示部材７０は、ＬＥＤ光の遮蔽によって火力表示を行う。火力表示部材７０は後述する。ＬＥＤ操作部材３６は火力調節カム２６と共に軸心ＡＸを中心に回転し、火力表示部材７０による火力の表示をガスの流量に応じて行う。ＬＥＤ操作部材３６は、下面に、前方から後方へ向けて狭窄する溝部３６Ａを有する。
【００２６】
連結部材２５は、プッシュ・プッシュ機構２４の前スライダ４０から前方に延び、軸心ＡＸを軸とする軸体３７に係合する。連結部材２５は軸体３７の前端部に保持され、軸心ＡＸを中心に軸体３７の周囲を回転可能な状態で、前スライダ４０と共に前後方向へ移動可能に設けられる。操作つまみ１４は連結部材２５の先端部２５Ａに保持され、連結部材２５と共に前後方向へ移動可能、且つ軸心ＡＸを中心に回転可能に設けられる。連結部材２５は、後端部外周面に、火力調節カム２６の歯部３５に噛合する歯部３８を有する。操作つまみ１４が操作位置にあるとき、連結部材２５の歯部３８は火力調節カム２６の歯部３５と噛合し、操作つまみ１４と火力調節カム２６を連結する。操作つまみ１４が操作位置にない場合には、火力調節カム２６の歯部３５は連結部材２５の歯部３８の前方に位置して噛合せず、操作つまみ１４と火力調節カム２６の連結状態を解除する。
【００２７】
中火ガイド９０は連結部材２５の後側に配置される。中火ガイド９０は前スライダ４０の軸体３７に固定されて、前スライダ４０と共に前後方向へ移動可能に設けられる。中火ガイド９０は、固定部９１、半鍔部９２、案内部９３を有する。固定部９１は筒状を呈し、中火ガイド９０を軸体３７に固定する。半鍔部９２は固定部９１の前端部のうち下側の部分から径方向外向きに鍔状に突出する。連結部材２５は半鍔部９２の前面に対して回転可能に設けられる。
【００２８】
案内部９３は略筒状を呈し、下側部分の後端部内面が半鍔部９２の外周部分に接続する。案内部９３の上側部分は下側部分よりも大径に設けられ、後端部内面と固定部９１の前端部のうち上側の部分との間に開口部９４が形成される。開口部９４には、火力調節カム２６の延伸部３４が挿通される。下側部分の内径は、連結部材２５の歯部３８の最大径よりも大きい。また、案内部９３の上側部分の上面には、案内突起９５が設けられる。案内突起９５は、ＬＥＤ操作部材３６の下面に設けられる溝部３６Ａに係合する。
【００２９】
次に、パネル装置９Ａ、９Ｂについて説明する。図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００３０】
なお、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁１１９の開閉状態を切り替えることによって、グリルバーナの火力調節を行う。従って、グリル装置の火力表示は、複数のスイッチのオン・オフの状態に合わせ、パネル装置９Ａに設けたＬＥＤの点灯・消灯の状態を段階的に切り替えることによって行われる。
【００３１】
これに対し、パネル装置９Ａにおける右バーナ４の火力表示と、パネル装置９Ｂにおける左バーナ５と奥バーナ６の火力表示を行う上で、燃料供給装置２０は、操作つまみ１１、１３、１４の回転量を検出するエンコーダを搭載しない。よって、パネル装置９Ａ、９Ｂは、操作つまみ１１、１３、１４の回転位置に応じてＬＥＤの点灯・消灯の状態を切り替える制御は行わない。本実施形態では、パネル装置９Ａ、９Ｂは、操作つまみ１１、１３、１４の回転位置に対応する位置のＬＥＤ光を透過し、他の位置のＬＥＤ光を火力表示部材７０で遮蔽することによって火力表示を行う。
【００３２】
以下では、パネル装置９Ｂについて説明する。なお、パネル装置９Ａにおける右バーナ４の火力表示に係る部分の構成は、パネル装置９Ｂにおける左バーナ５、奥バーナ６の火力表示に係る部分の構成と同じである。よって、パネル装置９Ａの構成は、パネル装置９Ｂの構成に準ずるものとして、説明を省略する。
【００３３】
図５に示すように、パネル装置９Ｂは、パネル本体部５０、表示基板６０、火力表示部材７０、化粧パネル８０を備える。パネル本体部５０は、筐体２の前端部に組み付けられる。パネル本体部５０の下側部分５１は箱型に形成され、操作パネル１１４（図６参照）が収容される。パネル本体部５０の上側部分５２は、下側部分５１から上方へ向けて板状に突出する。上側部分５２には、前後方向に貫通する２つの貫通穴５３が左右方向に並んで形成される。貫通穴５３の内径は、操作つまみ１３、１４の外径より大きい。左バーナ５と奥バーナ６の燃料供給装置２０は、左右に並べた状態で、パネル本体部５０の上側部分５２に後側から固定される。２つの燃料供給装置２０の連結部材２５と操作つまみ１３、１４は、夫々、２つの貫通穴５３内に配置される。
【００３４】
２つの貫通穴５３の上側外周部分には、夫々、複数の導光部５４が周方向に並んで設けられる。導光部５４は、前後方向に延びる筒状体であり、本実施形態では７つずつ設けられる。夫々の導光部５４の筒穴５５は、互いに独立に形成される。
【００３５】
上側部分５２の後面には、表示基板６０が固定される。表示基板６０は貫通穴５３に干渉しないように下端部が二双の円弧状に形成される。表示基板６０の前面には複数のＬＥＤ６１が実装され、下端部に沿って二双の円弧状に並んで配置される。本実施形態では、２つの円弧に沿って、夫々７つのＬＥＤ６１が設けられる。各ＬＥＤ６１は、夫々の導光部５４の各筒穴５５の形成位置に対応する位置に設けられる。表示基板６０がパネル本体部５０に固定されると、複数のＬＥＤ６１は、夫々、導光部５４の各筒穴５５内に配置される。
【００３６】
図２に示すように、火力表示部材７０は、本体部７１とフランジ部７６を備える。本体部７１は前後方向に延びる円筒形状を呈する。本体部７１の外径はパネル本体部５０の貫通穴５３の内径より小さく、内径は操作つまみ１１、１３、１４の外径より大きい。本体部７１は周方向の３ヶ所に、２つのフック７５と１つの係合部７４を有する。２つのフック７５は、貫通穴５３の後面に掛け留められ、火力表示部材７０を、軸心ＡＸを中心に回転可能に保持する。係合部７４は、ＬＥＤ操作部材３６の先端部に設けた係合片３６Ｂに係合する。本体部７１において、係合部７４を周方向の両側から挟む部分は夫々後方へ延び、係合片３６Ｂを外れにくくする。フランジ部７６は、本体部７１の前端部分において径方向外向きに突出し、周方向に一周する鍔状に形成される。フランジ部７６は、切り欠き状の光通過部７７を有する。
【００３７】
図５に示すように、化粧パネル８０は、パネル本体部５０の上側部分５２の前側に組み付けられる板状体である。化粧パネル８０は、前後方向に貫通する２つの開口部８６と、夫々の開口部８６の上部に配列される複数の透光部８１を有する。化粧パネル８０は正面視略長方形状であり、上端部にスライドロック８５を備える。化粧パネル８０をパネル本体部５０の上側部分５２に組み付けたとき、スライドロック８５を右側にスライドすると、化粧パネル８０がパネル本体部５０に固定される。
【００３８】
２つの開口部８６は左右方向に並んで形成される。２つの開口部８６の内径は、夫々、操作つまみ１３、１４の外径より大きい。２つの開口部８６内には夫々、操作つまみ１３、１４が配置される。複数の透光部８１は、化粧パネル８０をパネル本体部５０の上側部分５２に組み付けたときの導光部５４の夫々の形成位置に対応する位置に設けられる。透光部８１は、ＬＥＤ６１から出射され、導光部５４を介して後面から入射する光を、化粧パネル８０の前面から前方へ出射する。
【００３９】
左バーナ５用の燃料供給装置２０と、奥バーナ６用の燃料供給装置２０は、左右に並べた状態で、取付金具３３を用い、パネル装置９Ｂのパネル本体部５０の裏面に螺子で固定される。ＬＥＤ操作部材３６の係合片３６Ｂは、火力表示部材７０の係合部７４に係合する。よって火力表示部材７０は、ＬＥＤ操作部材３６が固定される火力調節カム２６が軸心ＡＸの周りを回転するとき、パネル本体部５０の貫通穴５３内で軸心ＡＸを中心に回転する。
【００４０】
次に、ガスコンロ１の電気的な構成について説明する。ガスコンロ１は、制御回路１００を備える。制御回路１００は、ＣＰＵ１０１、ＲＯＭ１０２、ＲＡＭ１０３、タイマ１０４に加え、図示しない、Ｉ／Ｏインタフェイス等を備える。ＣＰＵ１０１はガスコンロ１の各種動作を統括制御する。ＲＯＭ１０２は、火力表示処理（図８参照）を含む、ガスコンロ１の各種プログラムを記憶する。ＲＡＭ１０３は、各種情報を一時的に記憶する。タイマ１０４はプログラムで作動するものであり、後述する火力表示処理において消灯時間を計測する。
【００４１】
制御回路１００には、電源回路１２０、スイッチ入力回路１１１、熱電対入力回路１１２、操作パネル１１４、ＬＥＤドライバ回路１１５、安全弁回路１１６、電磁弁回路１１７、イグナイタ回路１１８等が各々接続される。電源回路１２０は、電源１２５から供給される交流（例えば１００Ｖ）を直流（例えば５Ｖ）に降圧して整流し、各種回路に電力を供給する。なお、図中において、電源は「ＡＣ」と表す。スイッチ入力回路１１１は、燃料供給装置２０のイグナイタスイッチ１５と基板スイッチ１６のオン・オフの状態を検出し、電源回路１２０と制御回路１００に入力する。なお、制御回路１００は、いずれかの燃料供給装置２０の基板スイッチ１６がオンの状態になると作動し、全ての燃料供給装置２０の基板スイッチ１６がオフの状態になると動作を停止する。熱電対入力回路１１２は、熱電対４Ｂ、５Ｂ、６Ｂからの検出値（熱起電力に対応する信号）を制御回路１００に入力する。操作パネル１１４は、使用者によるタイマ設定、調理内容に応じた火力制御の選択等の入力、ＣＰＵ１０１の制御内容に応じたＬＥＤの点灯及び消灯等に用いられる。
【００４２】
ＬＥＤドライバ回路１１５は、パネル装置９Ａ、９Ｂの表示基板６０に搭載する複数のＬＥＤ６１の点灯及び消灯を制御する。安全弁回路１１６は、ＣＰＵ１０１の制御に基づき、燃料供給装置２０の安全弁４８を開閉する。電磁弁回路１１７は、ＣＰＵ１０１の制御に基づき、グリル装置の流量調節部（図示略）に設けられる複数の電磁弁１１９を開閉する。イグナイタ回路１１８は、イグナイタスイッチ１５の状態に応じてＣＰＵ１０１が出力する制御信号に基づき、イグナイタ４Ａ、５Ａ、６Ａを各々駆動する。また、図６では、右バーナ４、左バーナ５、奥バーナ６に夫々設けられるサーミスタ、グリルバーナに設けられる熱電対、イグナイタ等は省略する。
【００４３】
次に、図１〜図６を参照しながら、図７に示すタイミングチャートに基づいて、操作つまみ１４の押込操作と回動操作による点火及び消火と火力の調節について説明する。Ｔ０時、操作つまみ１４は待機位置にある。基板スイッチ１６とイグナイタスイッチ１５はオフ状態であり、左バーナ５は消火状態である。Ｔ１時、左バーナ５を点火するため、ユーザは操作つまみ１４に対する押込操作を開始する。押込操作に伴い、前スライダ４０と後スライダ４１は後方への移動を開始する。安全弁４８とメイン弁３９は後スライダ４１に押圧されて開放する。
【００４４】
Ｔ２時、後スライダ４１の駆動片４１Ｂが基板スイッチ１６に接触し、基板スイッチ１６をオン状態にする。制御回路１００に電力が供給されて、ＣＰＵ１０１が駆動する。ＣＰＵ１０１は安全弁回路１１６に制御信号を送信し、安全弁４８を開放状態に維持する。また、ＣＰＵ１０１は、ＬＥＤドライバ回路１１５に制御信号を送信し、ＬＥＤ６１を発光させる。なお、ＬＥＤ６１は、後述する火力表示処理（図８参照）により、少し遅れたタイミングに発光する。
【００４５】
Ｔ３時、点火時の火力を中火にするための中火ガイド９０による案内が開始され、火力調節カム２６は、左右の略中央の位置へ向けて回動し始める。なお、火力調節カム２６が実際に回動を開始する位置は、延伸部３４のテーパ部３４Ａが開口部９４の縁部に当接する位置である。故に中火ガイド９０による案内は、火力調節カム２６が回動範囲の両端に位置する場合であればＴ３時に開始され、火力調節カム２６が回動範囲の中央寄りに位置する場合は、Ｔ３時よりも後の時期に開始される。また、火力調節カム２６に固定されたＬＥＤ操作部材３６によって、火力表示部材７０も回動し始める。
【００４６】
Ｔ４時、後スライダ４１の駆動片４１Ａがイグナイタスイッチ１５に接触し、イグナイタスイッチ１５をオン状態にする。制御回路１００は、イグナイタ回路１１８に制御信号を送信し、イグナイタ５Ａを駆動する。なお、制御回路１００は、イグナイタスイッチ１５がオン状態になったら、イグナイタ５Ａを所定時間駆動する。所定時間経過後、熱電対入力回路１１２から入力される熱電対５Ｂの検出値に基づき、左バーナ５に着火していなければ、安全弁回路１１６への制御信号の送信が停止され、安全弁４８が閉鎖される。
【００４７】
中火ガイド９０による火力を中火にするための案内は、Ｔ５時に終了する。火力調節カム２６は左右の略中央に位置し、ガスの流量が中火相当となる位置にニードル弁２８が移動するので、左バーナ５には点火に十分な量のガスが供給され、且つ点火時の炎あふれが防止される。また、火力表示部材７０の回動もＴ５時に終了する。Ｔ６時、操作つまみ１４は第一押込位置に到達する。
【００４８】
Ｔ７時に、ユーザが操作つまみ１４から手を離すと、操作つまみ１４は前スライダ４０のバネ４２の付勢力により、第一押込位置から操作位置へ向けて移動し始める。また、後スライダ４１も、バネ４３と、メイン弁３９のバネ４７の付勢力により、前方へ移動し始める。イグナイタスイッチ１５はＴ８時にオフ状態になるが、オン状態となったときから所定時間が経過するまで、イグナイタ５Ａは駆動する。
【００４９】
Ｔ９時に、カム機構４５が後スライダ４１の前方への移動を制止し、後スライダ４１は開弁維持位置に到達する。後スライダ４１は、開弁維持位置において、メイン弁３９を開放状態に維持し、且つ基板スイッチ１６をオンの状態に維持する。前スライダ４０は、Ｔ９時以降も前方へ移動し続け、Ｔ１０時に操作位置に到達すると、移動を停止する。操作位置に到達する直前に、連結部材２５の歯部３８と火力調節カム２６の歯部３５が噛合することで、操作つまみ１４は火力調節カム２６に連結する。
【００５０】
操作つまみ１４が操作位置にある状態で操作つまみ１４が回動操作されると、火力調節カム２６は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて第二ガス通路１９を流通するガスの流量が調節され、左バーナ５の火力が変更される。また、操作つまみ１４の回動操作によって火力表示部材７０も回動し、火力に応じた位置のＬＥＤ光がフランジ部７６の光通過部７７を通過して、化粧パネル８０の透光部８１から出射され、火力が表示される。
【００５１】
Ｔ１１時、左バーナ５を消火するため、ユーザは操作つまみ１４に対する押込操作を開始する。押込操作に伴い、前スライダ４０は後方への移動を開始する。連結部材２５の歯部３８と火力調節カム２６の歯部３５の噛合状態が解除され、操作つまみ１４は火力調節カム２６との連結を解除する。よって消火時の押込操作の途中で操作つまみ１４が回動することがあっても、火力は変化しない。また、火力表示部材７０も回動しないので、火力表示は変わらない。
【００５２】
Ｔ１２時、前スライダ４０は後スライダ４１に当接し、後スライダ４１を後方へ押圧する。前スライダ４０と後スライダ４１は、押込操作により、後方へ移動する。Ｔ１３時に、操作つまみ１４は第二押込位置に到達する。そしてＴ１４時に、ユーザが操作つまみ１４から手を離すと、操作つまみ１４は前スライダ４０のバネ４２と、後スライダ４１のバネ４３と、メイン弁３９のバネ４７の付勢力により、第一押込位置から待機位置へ向けて移動し始める。また、後スライダ４１も、バネ４３と、メイン弁３９のバネ４７の付勢力により、前方へ移動し始める。
【００５３】
Ｔ１５時、基板スイッチ１６がオフ状態になる。制御回路１００は、安全弁回路１１６への制御信号の送信を停止し、安全弁４８の電磁操作を解除する。バネ４９の付勢力によって安全弁４８が閉鎖されるので、ガスの供給が絶たれた左バーナ５は消火する。Ｔ１６時、操作つまみ１４が待機位置に到達する。後スライダ４１も前スライダ４０と共に移動範囲の前端に位置するので、メイン弁３９は閉鎖状態となる。
【００５４】
ところで、上記したように、点火時において、火力表示のためのＬＥＤ６１は、基板スイッチ１６がオン状態になり、制御回路１００が駆動することによって点灯される。点火の過程では、中火ガイド９０によって火力調節カム２６が回動すると、火力表示部材７０も回動するので、火力表示の状態が変化する可能性がある。故にガスコンロ１は、制御回路１００のＣＰＵ１０１が火力表示処理を行うことによって、点火処理中の火力表示を待機する。
【００５５】
以下、図８を参照し、火力表示処理について説明する。ユーザが待機位置にある操作つまみ１４に対して押込操作を行い、左バーナ５への点火を行うと、基板スイッチ１６がオンの状態になり、制御回路１００に電力が供給されて、ＣＰＵ１０１が駆動する。ＣＰＵ１０１は、基板スイッチ１６がオンの状態になることを契機に、その他の制御処理と並行して火力表示処理の実行を開始する。ＣＰＵ１０１はタイマ１０４を駆動し、消灯時間の計時を開始する（Ｓ１）。ＣＰＵ１０１は、消灯時間が経過するまで、ＬＥＤドライバ回路１１５に制御信号を送信せず、処理を待機する（Ｓ２：ＮＯ）。消灯時間は、例えば５００ｍｓであり、押込操作によって操作つまみ１４が待機位置から第一押込位置に移動するのに十分な時間が設定されている。従って、押込操作中に中火ガイド９０によって火力表示部材７０が回動しても、ＬＥＤ６１が消灯状態であるので、火力表示が行われず、火力表示の状態が変化することはない。
【００５６】
消灯時間が経過すると（Ｓ２：ＹＥＳ）、ＣＰＵ１０１は、ＬＥＤドライバ回路１１５に制御信号を送信し、ＬＥＤ６１を点灯させて、火力表示を開始する。左バーナ５の火力に応じた適切な火力表示がＬＥＤ光によって行われる。ＣＰＵ１０１は、基板スイッチ１６がオン状態である間、処理を待機する（Ｓ４：ＮＯ）。ユーザが操作位置にある操作つまみ１４に対して押込操作を行い、左バーナ５の消火を行うと、基板スイッチ１６がオフ状態になる。制御回路１００は、ＬＥＤドライバ回路１１５への制御信号の送信を停止し、ＬＥＤ６１を消灯する（Ｓ５）。ＣＰＵ１０１は、火力表示処理の実行を終了する。なお、上記説明した火力表示処理は左バーナ５の火力表示に対する処理であるが、右バーナ４、奥バーナ６の火力表示についても同様の火力表示処理が実行される。
【００５７】
以上説明したように、左バーナ５の点火時、操作つまみ１４に対する押込操作に連動し、ガス流路部２２が左バーナ５にガスを供給し、イグナイタ回路１１８がイグナイタ５Ａを駆動してガスに点火する。火力調節カム２６は、ガス流路部２２、イグナイタ回路１１８とともに操作つまみ１４に連動して動作するので、点火時の押込操作によって火力調節カム２６が動作する可能性がある。パネル装置９Ｂは、火力調節カム２６と機械的に連動する火力表示部材７０によって、左バーナ５の点火状態と火力状態を表示する。火力調節カム２６が動作することによって火力表示部材７０も動作するため、火力表示部材７０は、左バーナ５の点火状態と火力状態の表示に変化をもたらす。ところで、ユーザが点火動作のため操作つまみ１４に対して押込操作を行ったときに、誤操作等により操作つまみ１４を回転させてしまい、意図せずに火力の調節動作が行われてしまった場合、仮に連結部材２５がなく操作つまみ１４と火力調節カム２６が常に連動する状態であれば、パネル装置９Ｂの表示状態が変化するため、ユーザが戸惑う可能性がある。そこで制御回路１００のＣＰＵ１０１は、基板スイッチ１６がオン状態になってから所定の消火時間が経過するまで、ＬＥＤ６１を消灯状態に維持する。ＬＥＤ６１が消灯状態であれば、パネル装置９Ｂによる左バーナ５の点火状態と火力状態の表示は行われない。消火時間は、基板スイッチ１６がオン状態になってから左バーナ５の点火が完了するまでに要する時間であることが望ましい。その間に火力表示部材７０が動作しても、パネル装置９Ｂには点火状態と火力状態の表示がなされないので、ユーザが戸惑うことはない。
【００５８】
操作つまみ１４に対する押込操作によって左バーナ５が点火されるとき、中火ガイド９０は、火力調節カム２６と機械的に連動し、ガスの供給量を点火量（中火）に調整する。故に、火力調節カム２６と機械的に連動する火力表示部材７０は、点火動作の途中で火力調節カム２６が動作することによって、左バーナ５の点火状態と火力状態の表示に変化をもたらす可能性がある。制御回路１００のＣＰＵ１０１は、基板スイッチ１６がオン状態になってから所定の消火時間が経過するまで、ＬＥＤ６１を消灯状態に維持する。これにより、基板スイッチ１６がオン状態になってから所定の消火時間、パネル装置９Ｂによる左バーナ５の点火状態と火力状態の表示は行われない。その間に火力表示部材７０が動作しても、パネル装置９Ｂには点火状態と火力状態の表示がなされないので、ユーザが戸惑うことはない。
【００５９】
なお、本発明は上記実施形態に限定されるものではなく、種々の変更が可能である。ＣＰＵ１０１は基板スイッチ１６がオフ状態からオン状態になることを契機に火力表示処理を実行したが、イグナイタスイッチ１５がオフ状態からオン状態になることを契機に火力表示処理を実行してもよいし、別途、火力表示処理実行の契機となるスイッチを設けてもよい。また、ＣＰＵ１０１は、基板スイッチ１６がオン状態からオフ状態になることを契機に火力表示処理を実行してもよい。なおこの場合、ＣＰＵ１０１の非駆動時に基板スイッチ１６がオン状態であり、駆動時にオフ状態であればよい。
【００６０】
消灯時間は５００ｍｓに限らず、適宜変更してもよい。燃料供給装置２０は点火・消火の動作と火力の調整動作を行うが、夫々別体の装置によって行ってもよい。操作つまみ１１、１３、１４は回動操作によって右バーナ４、奥バーナ６、左バーナ５の火力を調整するが、火力調節レバーを設け、レバー操作によって火力調整を行ってもよい。この場合、操作つまみは、点火操作を点火ボタンとして機能してもよい。なお、火力調節レバーと点火ボタンが別体に設けられたとしても、ユーザが点火動作のために点火ボタンを操作したときに、意図せず火力調節レバーに触れてしまい、調節動作が行われてしまう場合がある。この場合でも、本実施形態のように点火動作中の火力表示を待機することで、調節動作に応じて火力表示部材７０が動作しても、パネル装置９Ｂには点火状態と火力状態の表示がなされないので、ユーザが戸惑うことはない。
【００６１】
また、燃料供給装置２０は、点火動作においてイグナイタスイッチ１５がオン状態に移行するＴ４時よりも後のＴ５時に、中火ガイド９０による火力を中火にするための案内が終了する構成であるが（図７参照）、これに限らない。例えば、イグナイタスイッチ１５がオン状態に移行するＴ４時よりも前の時期に、中火ガイド９０による火力を中火にするための案内が終了する構成であってもよい。なお、この構成の場合、ＣＰＵ１０１は、イグナイタスイッチ１５がオン状態に移行することを契機に火力表示処理を実行すれば、たとえ待機時間が０ｓであっても、ＬＥＤ６１の点灯後に火力表示部材７０が中火ガイド９０による案内に起因して動作することはない。しかし、点火時に操作つまみ１４が待機位置から第一押込位置に移動する際の前スライダ４０と後スライダ４１の移動距離は、比較的短い。故に、製品の個体差によってはイグナイタスイッチ１５がオン状態に移行する時期と、中火ガイド９０による案内が終了する時期とが、逆転する場合もあり得る。このような場合でも、本実施形態のように点火動作中の火力表示を待機することで、調節動作に応じて火力表示部材７０が動作しても、パネル装置９Ｂには点火状態と火力状態の表示がなされないので、ユーザが戸惑うことはない。
【００６２】
上記説明において、右バーナ４、左バーナ５、奥バーナ６が本発明の「バーナ」の一例である。ガス流路部２２が本発明の「供給機構」の一例である。火力調節カム２６が本発明の「調節機構」の一例である。イグナイタ回路１１８とイグナイタ４Ａ、５Ａ、６Ａが本発明の「点火機構」の一例である。操作つまみ１１、１３、１４が本発明の「操作部」の一例である。プッシュ・プッシュ機構２４と流量調節部３１が本発明の「操作機構」の一例である。基板スイッチ１６が本発明の「検出スイッチ」の一例である。ＬＥＤ６１が本発明の「発光部」の一例である。ＣＰＵ１０１が本発明の「制御部」の一例である。パネル装置９Ａ、９Ｂが本発明の「表示装置」の一例である。火力表示部材７０が本発明の「態様変化部」の一例である。中火ガイド９０が本発明の「調整部材」の一例である。
【符号の説明】
【００６３】
１                                    ガスコンロ
２                                    筐体
４                                    右バーナ
５                                    左バーナ
６                                    奥バーナ
４Ａ、５Ａ、６Ａ                      イグナイタ
９Ａ、９Ｂ                            パネル装置
１１、１３、１４                      操作つまみ
１６                                  基板スイッチ
２２                                  ガス流路部
２４                                  プッシュ・プッシュ機構
２６                                  火力調節カム
３１                                  流量調節部
６１                                  ＬＥＤ
７０                                  火力表示部材
９０                                  中火ガイド
１０１                                ＣＰＵ
１１８                                イグナイタ回路
【図１】
2019039594.tif 000003
【図２】
2019039594.tif 000004
【図３】
2019039594.tif 000005
【図４】
2019039594.tif 000006
【図５】
2019039594.tif 000007
【図６】
2019039594.tif 000008
【図７】
2019039594.tif 000009
【図８】
2019039594.tif 000010